(57)【要約】【課題】内部コーン式後施工アンカーについて、用済み後の打設穴からの引き抜きを可能となすことを課題としている。【解決手段】打設穴Ｈを、内部コーン式後施工アンカーの本体スリーブ２と本体スリーブに内蔵された拡張用コーン３のそれぞれの長さを加算した長さよりも深さの深い穴にし、その穴にアンカーを打設する。そのアンカーが用済みになったら、拡張用コーン３を圧入終点から打設穴Ｈの穴底側に抜け出させ、この後に本体スリーブ２を引き抜き力を加えて打設穴Ｈから引き抜く。そして、さらに、打設穴の内部に残された拡張用コーン３を打設穴Ｈから取り出す。【選択図】図６
2018071103.tif 000002
【特許請求の範囲】
【請求項１】
内部コーン式後施工アンカー（１）の本体スリーブ（２）と本体スリーブに内蔵された拡張用コーン（３）のそれぞれの長さ（Ｌ１、Ｌ２）を加算した長さよりも深さ（ｄ）の深い打設穴（Ｈ）をコンクリート面のアンカー打設目標箇所にあける工程、
前記打設穴（Ｈ）に前記内部コーン式後施工アンカー（１）を打ち込む工程、
前記拡張用コーン（３）を圧入終点まで本体スリーブの拡張部（４）に打ち込むことで前記拡張部（４）を拡径させて打設を完了する工程、
施工済みアンカーの用済み後に、前記拡張用コーン（３）を圧入終点から打設穴（Ｈ）の穴底側に更に打ち込んで前記拡張部（４）から抜け出させる工程、
前記本体スリーブ（２）に引き抜き力を加えてその本体スリーブ（２）を打設穴から引き抜く工程、
前記打設穴（Ｈ）の内部に残された前記拡張用コーン（３）を前記打設穴（Ｈ）から取り出す工程を順に経る内部コーン式後施工アンカーの施工・引き抜き工法。
【請求項２】
打設穴（Ｈ）に挿入される本体スリーブ（２）の先端側に拡張部（４）を有し、その拡張部（４）に圧入されて当該拡張部（４）を拡径させる拡張用コーン（３）が前記本体スリーブ（２）に内蔵された内部コーン式後施工アンカー（１）の前記本体スリーブ（２）に挿入される打ち込みピン（１１）を有し、その打ち込みピン（１１）の後部に、前記拡張用コーン（３）が圧入終点に到達した位置で本体スリーブ（２）の後端開口縁に当接する大径部（１２）を備えたコーン打ち込み工具（１０）と、
前記本体スリーブ（２）の内部に挿入可能で長さ（Ｌ３）が本体スリーブ（２）の長さ（Ｌ１）よりも長いコーン打ち抜きピン（２１）を備えた打ち抜き工具（２０）と、
前記本体スリーブに設けられたねじ孔（６）に螺合するねじ軸（３１）を操作部（３２）の先端に備えたスリーブ引き抜き工具（３０）と、
前記本体スリーブ（２）が前記打設穴（Ｈ）から引き抜かれた後に打設穴（Ｈ）から前記拡張用コーン（３）を取り出すコーン取り出し具（４０）とを組み合わせて構成される内部コーン式後施工アンカーの施工・引き抜き工具。
【請求項３】
前記コーン取り出し具（４０）が、前記拡張用コーン（３）を吸着させて前記打設穴（Ｈ）から抜き取る磁石棒である請求項２に記載の内部コーン式後施工アンカーの施工・引き抜き工具。
【発明の詳細な説明】
【技術分野】
【０００１】
この発明は、内部コーン式後施工アンカーを用済み後に打設穴から引き抜くことを可能にする施工・引き抜き工法とその工法に利用する施工・引き抜き用の工具に関する。
【背景技術】
【０００２】
後施工アンカーとして広く知られたものに、本体打ち込み式後施工アンカーや内部コーン式後施工アンカーがある。
【０００３】
前者の本体打ち込み式後施工アンカーは、先端側に拡張部を有する本体スリーブに対して先端側から後ろ向きに拡張用コーンを打ち込むタイプのアンカーであって、前記拡張用コーンをセットした本体スリーブをマンションなどのコンクリート外壁に穿孔された打設穴に挿入し、コーンが打設穴の底に当たっている状態で本体スリーブを打設穴に打ち込む。
【０００４】
これにより、拡張用コーンが圧入されて拡張部が拡張し、本体スリーブの係留がなされる。なお、この本体打ち込み式後施工アンカーについては、用済み後に打設箇所から抜き取る工具が提案されている（下記特許文献１、２参照）。
【０００５】
商業ビルやマンションなどのコンクリート外壁は定期的に補修することが行われている。そのときに足場の固定用としてアンカーが外壁に設置される。そのアンカーは、外壁の補修後にそのまま残すと錆びついて外壁を傷ませる原因となる。そこで、残存を嫌う箇所では用済み後に打設したアンカーを抜き取ることが行われている。
【先行技術文献】
【特許文献】
【０００６】
【特許文献１】特開２００２−１６７７号公報
【特許文献２】特開２０１０−４３４２７号公報
【発明の概要】
【発明が解決しようとする課題】
【０００７】
本体打ち込み式後施工アンカーは、拡張用コーンを動き止めして打設穴に打ち込まれた本体スリーブに引き抜き力を加えると本体スリーブの先端の拡張部に縮径方向の力が加わる。そのため、本体スリーブを打設穴から抜き取ることができる。
【０００８】
その後、打設穴の内部に残った拡張用コーンも磁石棒などで吸着して穴から取り出すことができ、これにより、打設穴の埋め戻しが可能になる。
【０００９】
ところが、内部コーン式後施工アンカーは、本体スリーブの内部に予め組み込まれた先細形状の拡張用コーンを前向きに移動させて拡張部を拡径させる。このような構造であるので、本体スリーブに引き抜き力を加えても拡張用コーンが障害物となって拡張部は全く縮径しない。
【００１０】
そのために、この内部コーン式後施工アンカーは、打設穴からの抜き取りができないものであると考えられ、用済み後の抜き取りが要求されない箇所に利用されていた。
【００１１】
これでは、内部コーン式後施工アンカーの利用範囲が制限される。
【００１２】
そこで、この発明は、内部コーン式後施工アンカーについて、用済み後の打設穴からの引き抜きを可能となすことを課題としている。
【課題を解決するための手段】
【００１３】
上記の課題を解決するため、この発明においては、下記の施工・引き抜き工法とその工法に利用する施工・引き抜き用の工具を提供する。
【００１４】
この発明の施工・引き抜き工法では、内部コーン式後施工アンカーの本体スリーブと本体スリーブに内蔵された拡張用コーンのそれぞれの長さを加算した長さよりも深さの深い打設穴をコンクリート面のアンカー打設目標箇所にあける。
【００１５】
その後、その打設穴に前記内部コーン式後施工アンカーを打ち込み、さらに、拡張用コーンを圧入終点まで本体スリーブの拡張部に打ち込んで拡張部を拡径させ、打設を完了する。
【００１６】
また、施工済みアンカーが用済みになったら、前記拡張用コーンを圧入終点から打設穴の穴底側に更に打ち込んで前記拡張部から押し出す。
【００１７】
その後、本体スリーブに引き抜き力を加えてその本体スリーブを打設穴から引き抜く。
【００１８】
そして最後に、打設穴の内部に残された拡張用コーンを打設穴から取り出す。
【００１９】
この方法においては、拡張用コーンの圧入終点への打ち込みを、打設穴に打ち込まれた本体スリーブが動かないようにして行う。
【００２０】
打設穴と本体スリーブとの間に、拡張用コーンの打ち込みによって本体スリーブに加わる移動力に勝る摩擦力を生じさせれば（これは、本体スリーブと打設穴の径差の適切な設定や本体スリーブの外周への凹凸や返しなどの追設によって行える）本体スリーブの定位置保持が可能である。
【００２１】
また、前記打設穴を径差のある穴にし、定位置まで打ち込まれた本体スリーブの先端を打設穴の段差面で受け止める構造を採用して定位置保持を行うことも可能である。
【００２２】
なお、アンカー打設時の拡張用コーンの圧入終点への打ち込みは、本体スリーブに挿入されて拡張用コーンを押し込む打ち込みピンを有し、その打ち込みピンの後部に、拡張用コーンが圧入終点に到達した位置で本体スリーブの後端開口縁に当接する大径部を備えたコーン打ち込み工具を使用して行う。
【００２３】
その工具を用いると前記大径部によって本体スリーブに対するコーン打ち込み工具の挿入規制がなされ、拡張用コーンの過度の圧入による拡張部からの抜け出しが防止される。
【００２４】
また、拡張用コーンの前記拡張部からの打設穴の穴底側への押し出しは、本体スリーブの内部に挿入可能で長さが本体スリーブの長さよりも長いコーン打ち抜きピンを備えた打ち抜き工具を用いて行う。
【００２５】
さらに、本体スリーブの打設穴からの引き抜きは、本体スリーブのねじ孔に螺合するねじ軸を操作部の先端に備えたスリーブ引き抜き工具を用いて行う。
【００２６】
打設穴の内部に残された拡張用コーンの打設穴からの取り出しは、コーン取り出し具を使用して行う。そのコーン取り出し具は、拡張用コーンを打設穴から掻き出す鉤ピンでもよいが、拡張用コーンを吸着させて打設穴から抜き取る磁石棒が推奨される。
【００２７】
この発明の施工・引き抜き工具は、前記コーン打ち込み工具、打ち抜き工具、スリーブ引き抜き工具、及びコーン取り出し具を組み合わせて構成される。
【発明の効果】
【００２８】
この発明の施工・引き抜き工法は、アンカー打設穴を、アンカー拡張部からのコーンの打ち抜きを可能にする余長のある穴にし、アンカーの用済み後に拡張部内にある拡張用コーンを拡張部から打設穴の穴底側（余長部）に打ち抜くところにその特徴がある。
【００２９】
打設穴を余長のある穴にすることで拡張用コーンを拡張部から打設穴の穴底側に押し出すことができ、その押し出しにより打設穴からの本体スリーブの引き抜きが可能になる。
【００３０】
また、この発明の施工・引き抜き工具は、拡張用コーンの打ち込みを上記コーン打ち込み工具を用いて行うので、拡張用コーンが過剰に打ち込まれてアンカー打設時に拡張部から抜け出すことがない。
【００３１】
さらに、拡張用コーンの打ち抜きを上記打ち抜き工具を用いて行うので、打ち抜きが不完全になって拡張用コーンが拡張部の内部に残ることもなく、この発明の施工・引き抜き工法の確実な実施を可能にする。
【図面の簡単な説明】
【００３２】
【図１】この発明の内部コーン式後施工アンカーの施工・引き抜き工法でアンカー打設目標箇所にあける打設穴の断面図である。
【図２】図１の打設穴に内部コーン式後施工アンカーを打ち込んだ状態を示す断面図である。
【図３】アンカーの本体スリーブに内蔵された拡張用コーンを圧入終点に打ち込んだ状態を示す断面図である。
【図４】コーン打ち込み工具の一例を示す正面図である。
【図５】拡張用コーンを本体スリーブの拡張部から打設穴の穴底側に打ち抜いた状態を示す断面図である。
【図６】アンカーの本体スリーブを打設穴の穴底側から引き抜いた状態を示す断面図である。
【図７】コーン打ち抜き工具の一例を示す正面図である。
【図８】スリーブ引き抜き工具の一例を示す正面図である。
【図９】打設穴内に残された拡張用コーンの取り出し状態を示す断面図である。
【図１０】内部コーン式後施工アンカーの基本構造を示す断面図である。
【発明を実施するための形態】
【００３３】
以下、添付図面の図１〜図１０を参照して、この発明の内部コーン式後施工アンカーの施工・引き抜き工法とその工法の実施に利用する施工・引き抜き工具の実施の形態について説明する。
【００３４】
この発明の方法による内部コーン式後施工アンカーの施工（打設）は、まず始めに、図
１に示すように、ビルのコンクリート壁面などのアンカー打設目標箇所にドリルで打設穴
Ｈをあける。
【００３５】
その打設穴Ｈは、図１０に示した内部コーン式後施工アンカー１の本体スリーブ２の長さＬ１に、本体スリーブ２に内蔵された拡張用コーン３の長さＬ２を加算した長さよりも深さｄの深い穴にする。
【００３６】
また、その打設穴Ｈは、本体スリーブ２が圧入される内径が本体スリーブ２の外径よりも小さな穴、もしくは、本体スリーブ２の全域が穴に入り込んだ位置でその本体スリーブ
２の先端が内面の段差面に受け止められる穴底側が入口側よりも小径の段付き穴とする。
【００３７】
次いで、図２に示すように、加工された打設穴Ｈに内部コーン式後施工アンカー１を、本体スリーブ２が打設穴Ｈに十分に入り込むところまで打ち込む。
【００３８】
その後、図３に示すように、コーン打ち込み工具１０を使用して本体スリーブ２に内蔵された拡張用コーン３を圧入終点まで本体スリーブの拡張部４に打ち込んで割り溝５を備えた拡張部４を拡径させる。これにより、アンカーの係留がなされて打設が完了する。
【００３９】
このときに使用するコーン打ち込み工具１０は、一種のポンチであって、図４に示すように、本体スリーブ２の内部に挿入される打ち込みピン１１を有し、その打ち込みピン１１の後部に、拡張用コーン３が圧入終点に到達した位置で図３に示すように、本体スリーブ２の後端開口縁に当接する大径部１２を備えている。
【００４０】
なお、このようにして打設したアンカーは、本体スリーブ２に設けられたねじ孔６に足場などを固定するアンカーボルト（図示せず）や吊りボルトなどを螺合させて使用する。
【００４１】
次に、コンクリート壁面などの補修が完了して打設済みのアンカーが用済みになったら、そのアンカーを打設穴Ｈから引き抜く。
【００４２】
その作業は、圧入終点にある拡張用コーン３を、図５に示すように、打ち抜き工具２０で打設穴Ｈの穴底側に更に打ち込んで拡張部４から押し出す。その後、図６に示すように、スリーブ引き抜き工具３０を用いて本体スリーブ２を打設穴Ｈから引き抜き、さらに、打設穴Ｈの内部に残されている拡張用コーン３を打設穴Ｈから取り出す方法で行う。
【００４３】
前記打ち抜き工具２０は、図７に示すように、本体スリーブ２の内部に挿入可能で長さＬ３が本体スリーブ２の長さＬ１よりも長いコーン打ち抜きピン２１を備えたものを用いる。
【００４４】
打設穴Ｈは、拡張用コーン３を受け入れ可能な余長を有する穴になっているので、打ち抜き工具２０による拡張用コーン３の拡張部４からの押し出しは支障なく行える。
【００４５】
前記スリーブ引き抜き工具３０は、図８に示すように、本体スリーブ２のねじ孔６に螺合するねじ軸３１を操作部３２の先端に備えたものを用いる。そのねじ軸３１を図８に示すように、本体スリーブ２のねじ孔６に螺合させ、この工具を操作して本体スリーブ２を打設穴Ｈから引き抜く。
【００４６】
スリーブ引き抜き工具３０の操作部３２は、回転操作と引き抜き力の印加を行うためのハンドル３３を有するものや、スパナなどの工具を係合させる非円形の工具係合部（図示せず）を備えるものが好ましい。工具係合部は、角柱や二面幅の面取りを施したものなどでよい。
【００４７】
最後に、打設穴Ｈの内部に残されている拡張用コーン３を図９に示すように、コーン取り出し具４０で打設穴Ｈから取り出す。その取り出しは、コーン取り出し具４０として図示の磁石棒を用い、拡張用コーン３を吸着させて抜き取る方法が作業性に優れて好ましいが、鉤形のピンをコーン取り出し具にしてその鉤形のピンで拡張用コーン３を打設穴Ｈから掻き出す方法などでも行える。
【００４８】
このように、この発明の施工・引き抜き工法とその工法を実施する施工・引き抜き工具を採用することで、従来、不可能と考えられていた内部コーン式後施工アンカーの用済み後の打設穴からの抜き取りが可能になる。
【００４９】
これにより、内部コーン式後施工アンカーの使用規制が緩和され、従来敬遠されていた
箇所にも内部コーン式後施工アンカーを使用することが許容されるようになる。
【符号の説明】
【００５０】
１          内部コーン式後施工アンカー
２          本体スリーブ
３          拡張用コーン
４          拡張部
５          割り溝
６          ねじ孔
１０        コーン打ち込み工具
１１        打ち込みピン
１２        大径部
２０        打ち抜き工具
２１        コーン打ち抜きピン
３０        スリーブ引き抜き工具
３１        ねじ軸
３２        操作部
３３        ハンドル
４０        コーン取り出し具
Ｈ          打設穴
Ｌ１        本体スリーブの長さ
Ｌ２        拡張用コーンの長さ
Ｌ３        コーン打ち抜きピンの長さ
ｄ          打設穴の深さ
【図１】
2018071103.tif 000003
【図２】
2018071103.tif 000004
【図３】
2018071103.tif 000005
【図４】
2018071103.tif 000006
【図５】
2018071103.tif 000007
【図６】
2018071103.tif 000008
【図７】
2018071103.tif 000009
【図８】
2018071103.tif 000010
【図９】
2018071103.tif 000011
【図１０】
2018071103.tif 000012